(57)【要約】【課題】空隙を無くしてＰＣ鋼撚線を強力に結束させ離脱することを防止でき、ＰＣ鋼撚線の端部にさびが発生することを防止することが可能なタイケーブル結束装置を提供すること。【解決手段】一面側で、タイケーブル１の各ＰＣ鋼撚線３が挿入され、各ＰＣ鋼撚線を圧縮固定する結束ヘッド１２と、結束ヘッドの他面側で、結束ヘッドと一体に形成されたボルト部１４とを有し、ボルト部では、ナット１５が締結されることによって、Ｈビーム５に装着固定されるタイケーブル結束金具１１と、ナットの一側で、ボルト部と嵌合されて、結束ヘッドの他面側に固定される支持具２５と、各ＰＣ鋼撚線の表層が除去されたワイヤ鋼線２を嵌合し、結束ヘッドの結束孔１３に挿入されるアダプタ２０及び密閉リング２１と、ナットの外側に密閉リング１６を介在して密閉状態でボルト部と結合される保護キャップ１７と、を備えることを特徴とする。【選択図】図２
2007239437.tif 000002
【特許請求の範囲】
【請求項１】
ＰＥ管内部に複数のＰＣ鋼撚線が収容されたタイケーブルを結束するタイケーブル結束装置において：
一面側で、前記タイケーブルの各ＰＣ鋼撚線が挿入され、前記各ＰＣ鋼撚線を圧縮固定する結束ヘッドと、前記結束ヘッドの他面側で、前記結束ヘッドと一体に形成されたボルト部とを有し、前記ボルト部では、ナットが締結されることによって、Ｈビームに装着固定されるタイケーブル結束金具と；
前記タイケーブル結束金具の前記ボルト部に締結された前記ナットの一側で、前記ボルト部と嵌合されて、前記結束ヘッドの他面側に固定される支持具と；
前記各ＰＣ鋼撚線の表層が除去されたワイヤ鋼線を嵌合し、前記タイケーブル結束金具を構成する前記結束ヘッドの結束孔に挿入されるアダプタ及び第１密閉リングと；
前記ボルト部に締結された前記ナットの外側に第２密閉リングを介在して密閉状態で前記ボルト部と結合される保護キャップと；
を備えることを特徴とする、タイケーブル結束装置。
【請求項２】
前記タイケーブルの先端が結束され、前記Ｈビームに装着固定される前記タイケーブル結束金具は、一面側に縮径突部が一体に形成された円柱状の前記結束ヘッドと，前記結束ヘッドの背面に一体に形成された前記ボルト部とを有し、
前記ボルト部は、前記ナットが螺合され、前記ボルト部の断面直径が前記結束ヘッドの断面直径より小さく形成されることによって、前記結束ヘッドの背面外周に環状段部が形成され、
前記結束ヘッドは、一面側に開放された複数の前記結束孔が互いに等間隔で形成されたことを特徴とする、請求項１に記載のタイケーブル結束装置。
【請求項３】
前記タイケーブル結束金具の前記ボルト部の外側に嵌合される前記支持具は、筒形状の支持管の先端外周に、板形状の圧縮板が一体に形成されたことを特徴とする、請求項１に記載のタイケーブル結束装置。
【請求項４】
前記ボルト部に結合される前記保護キャップは、一側が開放された円筒状に形成され、内周面の先端に密閉リング定置環状溝が形成され、前記密閉リング定置環状溝に密閉リングが結合されることを特徴とする、請求項１に記載のタイケーブル結束装置。
【発明の詳細な説明】
【技術分野】
【０００１】
本発明は、タイケーブル結束装置に関し、特に、土木及び建築工事で掘削を行うとき、土壁が土圧によって下がるか崩れることを防止するために設置される土留め板を支持するのに使用されるタイケーブル結束装置に関する。
【背景技術】
【０００２】
土木及び建築工事において、土壁が土圧によって崩れるか下がることを防止するために、土留め板を設置して土留め壁を形成するが、設置される土留め板（壁）が土圧に耐える（抵抗する）ことができないときは、タイケーブル、ワイヤーロープ、鉄筋などを使用して土留め板（壁）を補強して支持する。
【０００３】
この場合に使用される従来のタイケーブル（Ｔｉｅ  Ｃａｂｌｅ）としては、以下に詳述する特許文献１〜特許文献６が知られている。まず、特許文献１のパイル支持用タイケーブルは、タイケーブルの両端にアンカーをそれぞれ挿入して一体型に形成される。各アンカーの外面の前後半部には、内周環部とネジ部が形成され、内周環部をビームに挿入して結束させ、ネジ部にはナットを締結して装着する。特許文献２のタイケーブル及び特許文献３のタイケーブルのアンカーは、タイケーブルの両端にアンカーをそれぞれ挿入して固定し、アンカーに形成されたネジ部にはワッシャとナットを締結してビームに装着する。
【０００４】
また、特許文献４の着脱型タイケーブルは、スライドパイプの内部に内蔵される鋼撚線（タイケーブル）の両端にアンカーヘッドがそれぞれ挿入されて結合される。そして、各アンカーヘッドの後方に突出する各鋼撚線（タイケーブル）の端部には、円錐状に形成されたくさびを固定させてアンカーヘッドの内部に装填させる。更に、鋼撚線（タイケーブル）の一側に装着されたアンカーヘッドを、別に形成された固定装着ヘッドの内部に挿入装填し、固定装着ヘッドの後方にキャップを被せてなる。
【０００５】
特許文献５のタイケーブルは、ＰＣ鋼線ケーブルの両端で被覆層を除去させ、外部に露出する鋼線の端部に結着具（結着カップ）が引抜又は圧出によって被せて固定される。結着具（結着カップ）の外部には、ネジ部が外面に形成されたスリーブを結合させるが、スリーブが被覆層の端部に重畳するように結合し、スリーブの外面に形成されたネジ部にはワッシャとナットを締結（螺合）する。これは、結着具（結着カップ）の内部に、ＰＣ鋼線ケーブルの両端に露出する鋼線を引抜又は圧出によって被せて固定させるとき、被覆層の端部を重畳させて結合させるので、密閉力を向上させて外気（湿気）の流入を遮断させることで、鋼線にさびが発生することを多少防止することができる。
【０００６】
特許文献６のタイケーブルは、複数本の鋼線からなるＰＣ鋼線ケーブルの外周にポリエチレンなどからなる合成樹脂層が形成され、ＰＣ鋼線ケーブルの両端から、被覆された合成樹脂層を取り除いて、複数本の鋼線を露出させる。露出した複数本の鋼線の外側にスリーブ（鋼管）を嵌め合わせて圧縮固定し、スリーブ（鋼管）の外周にはネジ部を形成し、ワッシャとナットを締結（螺合）する。
【０００７】
【特許文献１】大韓民国実用新案出願公開第２０−１９８６−１７０５号明細書
【特許文献２】大韓民国実用新案出願公開第２０−１９８７−１４９３２号明細書
【特許文献３】大韓民国実用新案出願公開第２０−１９８８−１６３４１号明細書
【特許文献４】大韓民国実用新案登録第２０−２７７６８６号明細書
【特許文献５】大韓民国特許出願公告第１０−１９９０−７１２０号明細書
【特許文献６】特公昭５０−１４８１０号公報
【発明の開示】
【発明が解決しようとする課題】
【０００８】
しかし、特許文献１〜３のように形成されたタイケーブルは、タイケーブルの両端に結合されたアンカーをワッシャ及びナットによってビーム（Ｈビーム又は壁体）に固定させる。従って、タイケーブルとアンカーの結束力が弱くて支持力が低下する問題があり、タイケーブルとアンカーが分離（離脱）して結束力が解除されるという問題があった。
【０００９】
また、特許文献４のように形成されたタイケーブルは、鋼撚線（タイケーブル）の両端に装着されるアンカーヘッド及び固定装着ヘッドをビーム（Ｈビーム又は壁体）の外側に位置させるため、ビーム（Ｈビーム又は壁体）に装着（固定）させることができない問題があった。そのため、鋼撚線（タイケーブル）の長さ及び張力を調節するためには、ビーム（Ｈビーム又は壁体）の外側で鋼撚線（タイケーブル）を（人為的又は機械的に）引っ張りながら、端部に結合されるくさびの位置を調整しなければならないので、鋼撚線（タイケーブル）の長さ及び張力を容易に調節することができないという問題があった。
【００１０】
更に、特許文献５のように形成されたタイケーブルは、ＰＣ鋼線ケーブルの両端に露出する鋼線全体を結着具（結着カップ）の内部に挿入し、引抜又は圧出によって一体型に固定させるので、結着具（結着カップ）を強力に引抜又は圧出させても、その内部に挿入されて圧縮される鋼線間には空隙（空間）が発生する可能性がある。結着具（結着カップ）の内部に収容される鋼線間に空隙が発生すれば、結束力が弱化して振動によって揺れながら隙間が発生することになるだけでなく、離脱する現象も発生するる。また、上述のように発生する隙間に浸透する湿気によって、鋼線にさびが発生して腐食することにより、結束力が低下する問題があった。
【００１１】
特許文献６のように形成されたタイケーブルでは、鋼線は強度が非常に強いため、複数本の鋼線をスリーブ（鋼管）に挿入してスリーブ（鋼管）を強力な圧力で圧縮して固定させても、内部の鋼線は、点接触で互いに接続されるので、不安定な状態で結着される問題があった。スリーブ（鋼管）の内部に挿入されて結着される各鋼線は、不安定な結着状態によって、長期間設置すれば、振動などによって結着状態が弱化して隙間が発生し、これにより離脱する現象も発生することになる。
【００１２】
また、ＰＣ鋼線ケーブルの両端で露出する鋼線を圧縮しているスリーブ（鋼管）は後方が開放型になっており、スリーブ（鋼管）と合成樹脂層との間には空間が発生するので、これら開放部及び隙間に流入される湿気によって鋼線にさびが発生して結束力を弱化させることになる問題があった。
【００１３】
そこで、本発明は、上記問題に鑑みてなされたものであり、本発明の目的とするところは、空隙を無くしてＰＣ鋼撚線を強力に結束させ離脱することを防止でき、ＰＣ鋼撚線の端部にさびが発生することを防止することが可能な、新規かつ改良されたタイケーブル結束装置を提供することにある。
【課題を解決するための手段】
【００１４】
上記課題を解決するために、本発明のある観点によれば、ＰＥ管内部に複数のＰＣ鋼撚線が収容されたタイケーブルを結束するタイケーブル結束装置において、一面側で、タイケーブルの各ＰＣ鋼撚線が挿入され、各ＰＣ鋼撚線を圧縮固定する結束ヘッドと、結束ヘッドの他面側で、結束ヘッドと一体に形成されたボルト部とを有し、ボルト部では、ナットが締結されることによって、Ｈビームに装着固定されるタイケーブル結束金具と、タイケーブル結束金具のボルト部に締結されたナットの一側で、ボルト部と嵌合されて、結束ヘッドの他面側に固定される支持具と、各ＰＣ鋼撚線の表層が除去されたワイヤ鋼線を嵌合し、タイケーブル結束金具を構成する結束ヘッドの結束孔に挿入されるアダプタ及び第１密閉リングと、ボルト部に締結されたナットの外側に第２密閉リングを介在して密閉状態でボルト部と結合される保護キャップと、を備えることを特徴とする、タイケーブル結束装置が提供される。
【００１５】
かかる構成により、結束ヘッドは、一面側で、タイケーブルの各ＰＣ鋼撚線が挿入され、各ＰＣ鋼撚線を圧縮固定し、ボルト部は、結束ヘッドの他面側で、結束ヘッドと一体に形成される。また、タイケーブル結束金具は、ボルト部で、ナットが締結されることによって、Ｈビームに装着固定される。支持具は、タイケーブル結束金具のボルト部に締結されたナットの一側で、ボルト部と嵌合されて、結束ヘッドの他面側に固定され、アダプタ及び第１密閉リングは、各ＰＣ鋼撚線の表層が除去されたワイヤ鋼線を嵌合し、タイケーブル結束金具を構成する結束ヘッドの結束孔に挿入され、保護キャップは、ボルト部に締結されたナットの外側に第２密閉リングを介在して密閉状態でボルト部と結合される。
【００１６】
上記タイケーブルの先端が結束され、Ｈビームに装着固定されるタイケーブル結束金具は、一面側に縮径突部が一体に形成された円柱状の結束ヘッドと，結束ヘッドの背面に一体に形成されたボルト部とを有し、ボルト部は、ナットが螺合され、ボルト部の断面直径が結束ヘッドの断面直径より小さく形成されることによって、結束ヘッドの背面外周に環状段部が形成され、結束ヘッドは、一面側に開放された複数の結束孔が互いに等間隔で形成されてもよい。かかる構成により、結束ヘッドは、一面側に縮径突部が一体に形成され、ボルト部は、結束ヘッドの背面に一体に形成され、ナットが螺合され、ボルト部の断面直径が結束ヘッドの断面直径より小さく形成されることによって、結束ヘッドの背面外周に環状段部が形成される。また、結束ヘッドは、一面側に開放された複数の結束孔が互いに等間隔で形成される。
【００１７】
タイケーブル結束金具のボルト部の外側に嵌合される支持具は、筒形状の支持管の先端外周に、板形状の圧縮板が一体に形成されてもよい。かかる構成により、支持具は、筒形状の支持管の先端外周に、板形状の圧縮板が一体に形成される。
【００１８】
ボルト部に結合される保護キャップは、一側が開放された円筒状に形成され、内周面の先端に密閉リング定置環状溝が形成され、密閉リング定置環状溝に密閉リングが結合されてもよい。かかる構成により、保護キャップは、一側が開放された円筒状に形成され、内周面の先端に密閉リング定置環状溝が形成され、密閉リング定置環状溝に密閉リングが結合される。
【発明の効果】
【００１９】
本発明によれば、空隙を無くしてＰＣ鋼撚線を強力に結束させ離脱することを防止でき、ＰＣ鋼撚線の端部にさびが発生することを防止することができる。
【発明を実施するための最良の形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
まず、図１〜図３を参照して、本発明の第１の実施形態に係るタイケーブル結束装置１０を説明する。図１は、本発明の第１の実施形態に係るタイケーブル結束装置１０を示す分解斜視図であり、図２は、同実施形態に係るタイケーブル結束装置１０を示す結合断面図であり、図３は、同実施形態に係るタイケーブル結束装置１０の設置状態を示す断面図である。
【００２２】
本実施形態に係るタイケーブル結束装置１０は、タイケーブル１の先端が結束され、Ｈビーム５に装着されるタイケーブル結束金具１１と、Ｈビーム５の前面でタイケーブル結束金具１１のボルト部１４に螺合される支持具２５と、タイケーブル結束金具１１のボルト部１４に螺合されるナット１５の外側に結合される保護キャップ１７とからなる。
【００２３】
タイケーブル１の先端が結束され、Ｈビーム５に固着されるタイケーブル結束金具１１は、前面に縮径突部１２−１が形成され、円柱状に形成された結束ヘッド１２の背面にボルト部１４が一体に形成される。ボルト部１４には、ナット１５を螺合する。ボルト部１４の断面直径は、結束ヘッド１２の断面直径より小さく形成される。結束ヘッド１２の背面外周には、環状段部１２−２が形成され、縮径突部１２−１を含む結束ヘッド１２の内部には、前方に開放される複数の結束孔１３が互いに等間隔で形成される。
【００２４】
タイケーブル結束金具１１のボルト部１４の外周に嵌め合わせられる支持具２５は、ボルト部１４の外周に嵌め合わせられる支持管２７の先端外周に圧縮板２６が一体に形成される。支持管２７は、Ｈビーム５に穿設された装着孔５−１に挿入され、圧縮板２６は、Ｈビーム５の前面に密着してかかる。
【００２５】
ボルト部１４に結合される保護キャップ１７は、一側が開放された円筒状に形成され、内周の先端には密閉リング定置環状溝１７−１が形成され、その密閉リング定置環状溝１７−１に、例えばＯリングである密閉リング１６が定置される。
【００２６】
次に、本実施形態に係るタイケーブル結束装置１０の使用（設置）過程を説明する。保持に係るタイケーブル結束装置１０は次のような過程で設置する。まず、一定長さに裁断（切断）されたタイケーブル１の両端をタイケーブル結束金具１１の結束ヘッド１２に装着する。そして、タイケーブル１でＰＥ管４の両端を切り取って、埋設されたＰＥ鋼撚線３が露出するようにし、露出した各ＰＥ鋼撚線３の端部の外部に被覆されたＰＶＣをとり除いてワイヤ鋼線２が外部に露出するようにし、外部に露出した各ワイヤ鋼線２の端部（鋼撚線）に、密閉リング２１とアダプタ２０を順次嵌め合わせる。
【００２７】
密閉リング２１とアダプタ２０を順次嵌め合わせた各ＰＥ鋼撚線３のワイヤ鋼線２を、図２に示すように、タイケーブル結束金具１１の結束ヘッド１２に形成された結束孔１３に、密閉リング２１及びアダプタ２０を共にそれぞれ挿入して装填した状態で、結束ヘッド１２の外側（外周）をプレス装置のような圧縮装置で圧縮することで、突出した結束ヘッド１２とアダプタ２０とワイヤ鋼線２を一体型に形成する。
【００２８】
即ち、結束ヘッド１２の外側（外周）を圧縮装置で圧縮させれば、各結束孔１３に挿入装填されたアダプタ２０及び密閉リング２１とワイヤ鋼線２は結束孔１３に空隙（空間）が発生しないように密接な状態の一体型に圧縮され、圧縮固定された密閉リング２１によって、結束孔１３には外気及び湿気が浸透することができなくなるので、埋め込まれたアダプタ２０とワイヤ鋼線２が腐食することを防止することができる。
【００２９】
次に、タイケーブル結束金具１１のボルト部１４に、支持具２５を、圧縮板２６が結束ヘッド１２に向かうようにした状態で、挿入して結合させる。そして、支持具２５が結合されたボルト部１４を、Ｈビーム５に穿設された装着孔５−１に挿入させて、支持具２５の支持管２７がＨビーム５の装着孔５−１に挿入されるようにし、Ｈビーム５の後面（外側）に露出（突出）するボルト部１４にナット１５を螺合することで、タイケーブル結束金具１１をＨビーム５に固定させる。
【００３０】
ボルト部１４にナット１５を螺合して、タイケーブル結束金具１１をＨビーム５に固定させた状態で、ボルト部１４とナット１５の外側には保護キャップ１７を結合させる。この際、保護キャップ１７の内周面先端に形成された密閉リング定置環状溝１７−１に、例えばＯリングである密閉リング１６を装填した状態で結合させることで、密閉リング１６がナット１５の外面に密接に接続して密閉状態を維持する。
【００３１】
このように、ボルト部１４にナット１５を螺合してタイケーブル結束金具１１をＨビーム５に固定させ、ボルト部１４の外側に保護キャップ１７を結合させることで、図３に示すように、対向するＨビーム５間へのタイケーブル１の設置を完了する。
【００３２】
結束ヘッド１２の各結束孔１３に挿入装填されたアダプタ２０と密閉リング２１及びワイヤ鋼線２は、結束ヘッド１２の外周を圧縮して結束孔１３に空隙空間が発生しないように密接な状態で圧縮させるので、結束孔１３には外気及び湿気が浸透することができず、埋め込まれたアダプタ２０とワイヤ鋼線２の腐食を防止することができる。
【００３３】
また、ボルト部１４とナット１５の外側に結合される保護キャップ１７は、密閉リング定置環状溝１７−１に定置された密閉リング１６が保護キャップ１７の内周面とナット１５の外面に密接に接続して密閉状態を維持するので、外気及び湿気が保護キャップ１７の内部に流入することを遮断して、ボルト部１４とナット１５にさびが発生することを防止することができる。
【００３４】
このように、本実施形態に係るタイケーブル結束装置１０を利用して、対向するＨビーム５間にタイケーブル１を取り付けた状態で、タイケーブル１を回収（撤収）しようとするときは、Ｈビーム５の外側から保護キャップ１７を除去し、ボルト部１４に螺合されたナット１５を除去することにより、タイケーブル結束装置１０とＨビーム５の結束状態を解除させることができる。
【００３５】
保護キャップ１７とナット１５を除去した状態で、支持具２５の支持管２７に挿入されたボルト部１４を引き出して除去し、ついで支持具２５をＨビーム５の装着孔５−１から除去することで、タイケーブル結束装置１０をＨビーム５から完全に分離させる。
【００３６】
このように、本実施形態に係るタイケーブル結束装置１０は、タイケーブル結束金具１１のボルト部１４をＨビーム５に装着すること、又は装着状態を解除して分離することで、タイケーブル１を設置すること、又は設置状態から撤収することを容易に行うことができる。
【００３７】
以上のように、本発明に係るタイケーブル結束装置は、土壁面に互いに対向するように設置される土留め板間に取り付けられるタイケーブルにおいて、タイケーブルを複数本のＰＣ鋼撚線で形成し、各ＰＣ鋼撚線の各端部にはアダプタと密閉リングを嵌め合わせて結束ヘッドの結束孔に挿着させた状態で、結束ヘッドの外面を圧縮し、タイケーブル結束金具には各ＰＣ鋼撚線の端部とアダプタを一体型に結束させ、土留め板を支持するＨビームの装着孔には、タイケーブル結束金具の後端に形成されたボルト部を支持具とともに挿入し、Ｈビームの後面に突出するボルト部にナットを締結し、ナットの外側には保護キャップを結合させるようにしてなる。
【００３８】
そして、タイケーブルの各ＰＣ鋼撚線をタイケーブル結束金具に結束させるとき、各ＰＣ鋼撚線の端部にキャップを被せた状態でタイケーブル結束金具の外周を圧縮することで空隙を無くしてＰＣ鋼撚線を強力に結束させることができる。また、タイケーブル結束金具の後端に形成されたボルト部を支持具とともに挿入し、Ｈビームの後面でナットを締結することにより、タイケーブル結束金具に結束されたタイケーブルの複数本の鋼線を強力に設置し、タイケーブルの各ＰＣ鋼撚線が離脱することを防止することができる。
【００３９】
更に、ＰＣ鋼撚線の端部に結合されたキャップと外部に被せられたＰＶＣとの境界線上でこれらの外側に密閉リングを重畳するように嵌め合わせてタイケーブル結束金具の外周を圧縮することで、外気及び湿気がＰＣ鋼撚線の端部とアダプタに浸透しないようにすることにより、ＰＣ鋼撚線の端部にさびが発生することを防止し、タイケーブルの複数本の鋼線が結束されたタイケーブル結束金具をナットによって固定させるとき、ナットとその外側に被せられる保護キャップとの間に密閉リングを介在して密閉させることで、外気と湿気が保護キャップの内部に浸透しないようにすることにより、結束状態を持続的に維持させることができる。
【００４０】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【産業上の利用可能性】
【００４１】
本発明は、タイケーブル結束装置に適用可能であり、土木及び建築工事で掘削を行うとき、土壁が土圧によって下がるか崩れることを防止するために設置される土留め板を支持するのに使用されるタイケーブル結束装置に適用可能である。
【図面の簡単な説明】
【００４２】
【図１】本発明の第１の実施形態に係るタイケーブル結束装置を示す分解斜視図である。
【図２】本発明の第１の実施形態に係るタイケーブル結束装置の結合状態を示す断面図である。
【図３】本発明の第１の実施形態に係るタイケーブル結束装置の設置状態を示す断面図である。
【符号の説明】
【００４３】
１      タイケーブル
２      ワイヤ鋼線
３      ＰＣ鋼撚線
４      ＰＥ管
５      Ｈビーム
５−１      装着孔
１０      タイケーブル結束装置
１１      タイケーブル結束金具
１２      結束ヘッド
１２−１      縮径突部
１２−２      環状段部
１３      結束孔
１４      ボルト部
１５      ナット
１６      密閉リング
１７      保護キャップ
２０      アダプタ
２１      密閉リング
２５      支持具
２６      圧縮板
２７      支持管
【図１】
2007239437.tif 000003
【図２】
2007239437.tif 000004
【図３】
2007239437.tif 000005